(57)【要約】【課題】  ガスメータ廻りの配管の簡略化を図り狭い場所での配管作業を容易にする。【解決手段】  両端部にフレア部を有する金属フレキシブル管と、一端部におねじとテーパ外面を有する継手本体と、このおねじと螺合するめねじとテーパ内面を有するナットとからなり、前記フレア部をテーパ外面とテーパ内面とで挟着して器具接続部となし、ガスメータ本体の接続口に備わったおねじと螺合するめねじと、テーパ内面と、パッキン収容部とを有するガスメータ接続用ナットと、テーパ外面を有し、内径側には円筒部材を装着してなるパッキンとからなり、他方端側のフレア部をガスメータ接続用ナットのテーパ内面とパッキンのテーパ外面とで挟着し、円筒部材の外側にガスメータ接続口を嵌合させると共に、ガスメータ接続口のおねじとガスメータ接続用ナットのめねじを締め付けてガスメータ接続部を構成したガスメータ接続用フレキシブル管継手。【選択図】      図１
2007078642.tif 000002
【特許請求の範囲】
【請求項１】
両端部にフレア部を有する金属フレキシブル管と、一端部におねじと一端側のフレア部を押し付けるテーパ外面を有し、他端部には接続部を有する継手本体と、前記継手本体の一端部のおねじと螺合するめねじと前記フレア部を受け止めるテーパ内面を有するナットとからなり、前記金属フレキシブル管のフレア部を前記継手本体のテーパ外面とナットのテーパ内面とで挟着して器具接続部を構成し、ガスメータ本体のガス導入接続口あるいはガス導出接続口に備わったおねじと螺合するめねじと、前記金属フレキシブル管の他方端側のフレア部を受けるテーパ内面と、パッキン収容部とを有するガスメータ接続用ナットと、前記パッキン収容部に配置され前記テーパ内面に対向するテーパ外面を有し、内径側には円筒部材を装着してなるパッキンとからなり、前記他方端側のフレア部を前記ガスメータ接続用ナットのテーパ内面とパッキンのテーパ外面とで挟着し、前記円筒部材の外側に前記ガスメータの接続口を嵌合させると共に、前記ガスメータ接続口のおねじとガスメータ接続用ナットのめねじを締め付けてガスメータ接続部を構成してなることを特徴とするガスメータ接続用フレキシブル管継手。
【発明の詳細な説明】
【技術分野】
【０００１】
本発明は、ガスメータと被接続器具の間を金属フレキシブル管で直接接続するためのガスメータ接続用フレキシブル管継手に関する。
【背景技術】
【０００２】
従来、フレア部を有する金属管を接続する継手としては、例えば特許文献１等に開示されたように、継手本体のテーパ外面とナットのテーパ内面との間でフレア部を挟着する構造がある。
また、ガスメータはその本体上部あるいは下部にガス導入接続口およびガス導出接続口が備わっており、この接続口廻りの配管は例えば特許文献２に見られるように、ユニオン継手、逆Ｕ字管、ユニオン継手及び鋼管を用いた配管構造がとられている。この理由は、ガスメータは住宅の壁際に立設される場合がほとんどであるが、ガスメータ自身には支柱などの立設手段が備わっておらず自立性がない。そこで、直接壁に支持金具を用いて固定したり、鋼配管を支柱代わりにすることが必要である。ところが地域によっては、ガスの供給圧力を一定でなく高圧となし調圧器（ガバナー）を中継して減圧調節し直接ガスメータに導入するシステムをとるところもある。この様な場合、ガスメータ廻りの面倒な配管が不要になりガスメータ自身を必ずしも立設する必要がない。しかし反面、狭小な空きスペースにガスメータが置かれることが多い。
【０００３】
【特許文献１】実開昭６３−２０５９２号公報
【特許文献２】特開２００１−２０８５８９号公報
【発明の開示】
【発明が解決しようとする課題】
【０００４】
したがって、このような限られたスペースで配管作業を行うことは困難をともなう。一方、蛇腹状の金属フレキシブル管は可撓性があり狭い場所での配管に便利である。従って、ここで調圧器などの機器とガスメータを直接接続する継手が要求される。ところが、従来このような継手構造を持った金属フレキシブル管継手は見当たらない。
【０００５】
そこで、本発明は、配管の簡略化を図り狭い場所での配管作業を容易にすることを目的とし、器具接続部とガスメータ接続部の両方を備えたガスメータ接続用金属フレキシブル管継手を提供することにある。
【課題を解決するための手段】
【０００６】
本発明は、両端部にフレア部を有する金属フレキシブル管と、一端部におねじと一端側のフレア部を押し付けるテーパ外面を有し、他端部には接続部を有する継手本体と、前記継手本体の一端部のおねじと螺合するめねじと前記フレア部を受け止めるテーパ内面を有するナットとからなり、前記金属フレキシブル管のフレア部を前記継手本体のテーパ外面とナットのテーパ内面とで挟着して器具接続部を構成し、ガスメータ本体のガス導入接続口あるいはガス導出接続口に備わったおねじと螺合するめねじと、前記金属フレキシブル管の他方端側のフレア部を受けるテーパ内面と、パッキン収容部とを有するガスメータ接続用ナットと、前記パッキン収容部に配置され前記テーパ内面に対向するテーパ外面を有し、内径側には円筒部材を装着してなるパッキンとからなり、前記他方端側のフレア部を前記ガスメータ接続用ナットのテーパ内面とパッキンのテーパ外面とで挟着し、前記円筒部材の外側に前記ガスメータの接続口を嵌合させると共に、前記ガスメータ接続口のおねじとガスメータ接続用ナットのめねじを締め付けてガスメータ接続部を構成してなるガスメータ接続用フレキシブル管継手である。
この継手によれば、器具接続用継手部はフレア部メタルタッチシール構造となし、ガスメータ接続用継手部は内径側に円筒部材を備えたパッキンシール構造となし、これらを可撓性を有する金属フレキシブル管で一体に接続構成している。よって、高いシール性を持って狭い場所でも調圧器などの器具とガスメータを容易に直結して接続することができる。
【発明の効果】
【０００７】
本発明によれば、ガスメータ廻りの配管を簡略化でき、狭い場所でも器具とガスメータの配管作業が容易に行える。且つ各々の接続部はシール性の高い構造となっており、信頼性の高いガスメータ接続用フレキシブル管継手を提供することができる。
【発明を実施するための最良の形態】
【０００８】
以下、本発明の実施の形態を図面に基づいて説明する。
図１は本発明の実施の形態に係わるガスメータ接続用フレキシブル管継手の一例の全体図で上半分を断面で示している。図２はガスメータ接続用継手部の上半分の拡大断面図である。
【０００９】
図１において金属フレキシブル管１は薄肉ステンレス管にコルゲート加工を施して蛇腹部分を形成したもので、可撓性を有しその長さは任意である。ここで外面に樹脂層をコーティングしたものを用いてもよい。金属フレキシブル管１の端部には、円筒部１２に続いてスカート状のフレア部１１が形成されている。継手本体２は一端部におねじ２１とテーパ外面２２を有し、他端部にはおねじやめねじ等の接続部、ここではおねじ２３を備えている。ナット３は、継手本体２の一端側に前記おねじ２１と螺合するめねじ３１と、前記テーパ外面２２と対向するテーパ内面３２を有しており、他端側は金属フレキシブル管１の挿入口３３となっている。以上により器具接続用継手部を構成している。組み付けに際しては、先ず、金属フレキシブル管１の端部をナット３の挿入口３３から挿入し、市販の工具により端部をフレア加工する。こうして形成したフレア部１１をナット３のテーパ内面３２で受けると共に継手本体２のテーパ外面２２に押し付けて、このテーパ内外面で挟み込むようにして継手本体２に対しナット３を規定トルクで締め込み固定する。これにより金属フレキシブル管１と継手本体２を予めメタルタッチシールにより組立を完了させる。
【００１０】
金属フレキシブル管１の他方の端部にも円筒部１２に続いてスカート状のフレア部１１が形成されている。ガスメータ接続用ナット４は、ガスメータ８のガス導入接続口８１（ガス導出接続口でもよい。以下、ガス接続口という。）のおねじ８１と螺合するめねじ４１を一端に有し、他端部側の内面にフレア部を受けるテーパ内面４２を有し、内部にパッキン収容部４３を構成している。
パッキン５はNBR等からなるゴム製パッキンで、一端面に前記フレア部を押し付けるテーパ外面５２となっており、内径側には金属製の円筒部材６を装着している。従って、先ず、金属フレキシブル管１の他端部をガスメータ接続用ナット４の挿入口４４から挿入し、市販の工具により端部をフレア加工する。このフレア部１１をナットのテーパ内面４２で受けると共にパッキン５のテーパ外面５２に押し付けて挟み込むようにして配置する。そして、ナット４をガス接続口に対してねじ込み締め付ける。このとき、円筒部材６をガイドにしてガス接続口を嵌めて、パッキンが内径側に変形することなく軸方向に押圧することができるので高いシール性を得ることが出来る。以上によりガスメータ接続用継手部を構成している。
【００１１】
図２はガスメータ接続用継手部を示している。パッキン５の内径側に装着した円筒部材６を設けたことにより、ここにガス接続口８２が嵌合し易くなり位置合わせが容易となる。そして、ナット４を締め付けることによりナットのテーパ内面４２と接続口８２の間でパッキンは圧縮されるが、円筒部材６は剛性を有しているのでパッキンの変形を阻止し適切なシール面圧をフレア部に与えて保持することができる。これによりガスメータ接続用継手部においてもパッキンによるシールとフレア部のシールとそれぞれを得ることが出来ている。
【図面の簡単な説明】
【００１２】
【図１】本発明の実施の形態に係わるガスメータ接続用金属フレキシブル管継手の一例を示す正面半断面図である。
【図２】図１のガスメータ接続継手部の拡大断面図である。
【符号の説明】
【００１３】
１：金属フレキシブル管
２：継手本体
３：ナット
４：ガスメータ接続用ナット
５：パッキン
６：円筒部材
８：ガスメータ
１１：フレア部
１２：円筒部
２１、２３：おねじ
２２：テーパ外面
３２、４２：テーパ内面
３１、４１：めねじ
３３、４４：挿入口
４３：パッキン収容部
５２：パッキンのテーパ外面
８２：ガスメータの接続口
【図１】
2007078642.tif 000003
【図２】
2007078642.tif 000004